(57)【要約】【課題】投げても遠くに飛ばない応援グッズを提供すること。【解決手段】応援グッズ１は、略四角枠状の本体部３と、本体部に固定されたシート状の音発生部材５とで構成する。本体部３は、一対の左右枠部３Ｈと、一対の上下枠部３Ｇと、下枠部３ｂから枠外側方向に延びる柄部４と、を備える。音発生部材５は、左右枠部３Ｈ及び上下枠部３Ｇで構成される平面を略直交方向に出入りする、振動運動可能な可撓性を有したシート材からなり、弛みを有するように左右枠部３Ｈに端部を接合し、上下枠部３Ｇに対して隙間を有して装着し、音発生部材５の上枠部３ａ側の端部の弛みを、音発生部材５の下枠部３ｂ側の端部の弛みより大きく形成する。【選択図】図１
0003154259.tif 000002
【実用新案登録請求の範囲】
【請求項１】
略四角枠状の本体部と、該本体部に固定されたシート状の音発生部材と、を備えて構成され、
該本体部は、一対の左右枠部と、一対の上下枠部と、該下枠部から枠外側方向に延びる柄部と、を備え、
該音発生部材は、該左右枠部及び該上下枠部で構成される平面を略直交方向に出入りする、振動運動可能な可撓性を有したシート材からなり、弛みを有するように該左右枠部に端部を接合され、該上下枠部に対して隙間を有して装着され、
該音発生部材の該上枠側の端部の該弛みが、該音発生部材の該下枠側の端部の該弛みより大きいことを特徴とする音出し用応援グッズ。
【請求項２】
該本体部は、該上枠部が該下枠部に対して長い扇状に成形されることを特徴とする請求項１記載の音出し用応援グッズ。
【請求項３】
該本体部は、可撓性を有した部材からなり、
該上枠部は、該上枠部が該下枠部に対して長くなる状態と、該上枠部と該下枠部が略同じ長さとなる状態と、に調節可能な長さ調節手段を有することを特徴とする請求項１記載の音出し用応援グッズ。
【請求項４】
該本体部は、該左右枠部と該下枠部とで構成される該本体部下部の角部の幅が、該本体部の該角部以外の部分の幅より狭く形成されていることを特徴とする請求項３記載の音出し用応援グッズ。
【請求項５】
該音発生部材に、応援対象の文字又は図形が印刷されていることを特徴とする請求項１、２、３又は４記載の音出し用応援グッズ。
【請求項６】
該柄部には、掛止部材が配設されていることを特徴とする請求項１、２、３、４又は５記載の音出し用応援グッズ。
【考案の詳細な説明】
【技術分野】
【０００１】
本考案は、応援グッズに関し、さらに投げても遠くに飛ばないように構成する音出し用応援グッズに関する。
【背景技術】
【０００２】
スポーツ競技において、ファン、サポーターは応援しているチームあるいは選手に応援グッズを用いて応援することが行われている。この場合の応援グッズとしては、特許文献１に示すように、枠状の本体部に音発生部材を装着するとともに音発生部材を本体部に弛むように装着することによって、応援グッズを手で振る際に、本体部に弛むように装着された音発生部材が振幅して、一方から他方に移動して張ったときに音を発生させるものがあった。さらに弛みの大きさを調整したり、錘部材を装着したりすることによって音の大きさを加減していた。
【先行技術文献】
【特許文献】
【０００３】
【特許文献１】登録実用新案第３１２５９２１号公報
【考案の概要】
【考案が解決しようとする課題】
【０００４】
しかし、上記に示す従来の応援グッズは、音発生部材の上端部と、下端部の弛みの大きさに違いがないため大きな音の発生が制限され、錘部材を装着すると工程が増えるという問題があった。
【０００５】
また、投げると重量バランスがよく、遠くに飛んでしまうという問題があった。例えば、スポーツ競技観戦中に、ファン、サポーターが応援しているチーム又は選手の、良いプレー、悪いプレーに興奮して応援グッズを投げることがある。このような場合には競技中の選手や他の観客に当って怪我をさせるおそれがあり、投げても遠くに飛ばない応援グッズが求められていた。
【課題を解決するための手段】
【０００６】
請求項１記載の考案の音出し用応援グッズでは、略四角枠状の本体部と、該本体部に固定されたシート状の音発生部材と、を備えて構成され、該本体部は、一対の左右枠部と、一対の上下枠部と、該下枠部から枠外側方向に延びる柄部と、を備え、該音発生部材は、該左右枠部及び該上下枠部で構成される平面を略直交方向に出入りする、振動運動可能な可撓性を有したシート材からなり、弛みを有するように該左右枠部に端部を接合され、該上下枠部に対して隙間を有して装着され、該音発生部材の該上枠側の端部の該弛みが、該音発生部材の該下枠側の端部の該弛みより大きいことを特徴とする。
【０００７】
請求項２記載の考案の音出し用応援グッズでは、該本体部は、該上枠部が該下枠部に対して長い扇状に成形されていることを特徴とする。
【０００８】
請求項３記載の考案の音出し用応援グッズでは、該本体部は、可撓性を有した部材からなり、該上枠部は、該上枠部が該下枠部に対して長くなる状態と、該上枠部と該下枠部が略同じ長さとなる状態と、に調節可能な長さ調節手段を有することを特徴とする。
【０００９】
請求項４記載の考案の音出し用応援グッズでは、該本体部は、該左右枠部と該下枠部とで構成される該本体部下部の角部の幅が、該本体部の該角部以外の部分の幅より狭く形成されていることを特徴とする。
【００１０】
請求項５記載の考案の音出し用応援グッズでは、該音発生部材に、応援対象の文字又は図形が印刷されていることを特徴とする。
【００１１】
請求項６記載の考案の音出し用応援グッズでは、該柄部には、掛止部材が配設されていることを特徴とすることを特徴とする。
【考案の効果】
【００１２】
請求項１記載の考案では、左右枠部に、左右枠部及び上下枠部で構成される平面を略直交方向に出入りする、振動運動可能な可撓性を有した音発生部材を装着するとともに、音発生部材を弛むように装着している。これによって、応援グッズを手で振る際に、本体部に弛むように装着された音発生部材が振動し、空気を振動させることにより音を発生させることができる。音発生部材の上枠側の端部の弛みが、音発生部材の下枠側の端部の弛みより大きく、応援グッズを手で振った時に音発生部材が大きく振動し、空気を大きく振動させる。よって、大きな音を発生させることができる。また、弛みの大きさが違うため応援グッズを投げた時に、空気抵抗の部分的な不均衡の発生や重量バランスの不均衡が発生することになるので、投げても失速して遠くに飛ばず地上に落下することになる。
【００１３】
請求項２記載の考案では、枠状の本体部を扇状に成形することで、音発生部材の上枠側の端部と下枠側の端部の長さと、音発生部材の上枠側の端部の弛みと下枠側の端部の弛みの大きさの差を大きくすることができる。音発生部材が大きく振動し、空気を大きく振動させるので、さらに大きな音を発生させることができる。また、音出し用応援グッズの空気抵抗の部分的な不均衡の発生や、重量バランスの不均衡がより大きくなるので投げても遠くに飛ばなくなる効果を高めることができる。
【００１４】
請求項３記載の考案では、音出し用応援グッズの上枠部に、上枠部の長さ方向の長さ調節手段を設けることによって、使用状態を選択することが可能となる。音出し用応援グッズの上枠部の長さを短くして下枠部と略同じ長さにし、音発生部材の弛みを大きくして、大きな音を発生させたり、音出し用応援グッズの上枠部の長さを長くして音発生部材を張った状態にして団扇代わりにしたりする、といったことができる。音出し用応援グッズを運搬する場合に、音発生部材を弛ませていると、運搬時の振動でしわがよったり、キズがついたり、運搬車両の収納スペースをとることになる。音発生部材を張った状態で運搬すれば、しわ、キズを防止でき、運搬時の収納が容易になる。
【００１５】
請求項４記載の考案では、音出し用応援グッズの本体部下部の角部の幅を、他の本体部の幅より狭く形成することで、本体部を撓みやすくしたので、長さ調節手段の操作を容易にすることができる。
【００１６】
請求項５記載の考案では、音発生部材にチーム名や選手名を表示することで、視覚的にアピールすることができ、応援効果を高めることができる。
【００１７】
請求項６記載の考案では、柄部の下端部分に配設した掛止部材により、壁等に掛けて邪魔になることなく保管することができる。
【００１８】
いずれの考案も容易な構成であることから廉価に製造することができ、軽量であるため携帯性に優れている。
【図面の簡単な説明】
【００１９】
【図１】本考案の第１の実施形態の応援グッズの斜視図である。
【図２】本考案の第１の実施形態の応援グッズの正面図である。
【図３】本考案の応援グッズの図２におけるＩ―Ｉ断面図である。
【図４】本考案の第１の実施形態の応援グッズの（ａ）平面図、（ｂ）底面図である。
【図５】本考案の第２の実施形態の応援グッズの正面図である。
【図６】本考案の第３の実施形態の応援グッズの音発生部材を張った状態の正面図である。
【図７】本考案の第３の実施形態の応援グッズの音発生部材を弛ませた状態の正面図である。
【図８】図６における長さ調節手段の（ａ）平面図、（ｂ）正面図、（ｃ）組み合わせた状態の正面図である。
【図９】本考案の第１の実施形態の応援グッズに文字を表示した状態を示す正面図である。
【図１０】本考案の第１の実施形態の応援グッズに掛止部材を装着した状態を示す正面図である。
【考案を実施するための形態】
【００２０】
以下に、本考案の実施形態を図面に基づいて説明する。図２に示す柄部４の長さ方向に沿った方向を以下、上下方向とし、図２に示す柄部４の長さ方向と直交する方向を以下、左右方向とする。
【００２１】
図１〜３に示すように本考案の第１の実施形態の音出し用応援グッズ（以下、応援グッズ１とする。）は、一方に柄部４を有して矩形枠状に形成する本体部３と、枠状の本体部３の左右方向に対向する２辺にその左右両端部を架けて配置する音発生部材５と、を有して構成されている。
【００２２】
本体部３は丸棒状、角棒状、円筒状、角筒状のいずれかで形成され、材料は、樹脂製又は金属製で形成されている。本体部３は上枠部３ａ、下枠部３ｂ、からなる上下枠部３Ｇと、両側枠部３ｃ、３ｄからなる左右枠部３Ｈと、を有し、下枠部３ｂの中央部から下方に延びる柄部４が配置される。本体部３は上枠部３ａを下枠部３ｂより長くして、上枠部３ａ、下枠部３ｂとも上方向に張り出すように湾曲して形成され、両側枠部３ｃ、３ｄに音発生部材５が装着されている。
【００２３】
音発生部材５は、振動運動可能な可撓性を有したシート材で形成され、本体部３の両側枠部３ｃ、３ｄに装着されている。音発生部材５は、例えば、紙製、樹脂製、布製のものを用いてもよい。図４に示すとおり、音発生部材５は、両側部５ａ、５ａを本体部３に被せて熱溶着で固着する。他の方法として、音発生部材５の両側部５ａ、５ａの上に両側枠部３ｃ、３ｄを載せ、両側部５ａ、５ａを折り返して筒状に形成して粘着したり、又は音発生部材５の両側部５ａ、５ａを両側枠部３ｃ、３ｄに巻き付けて粘着したりしてもよい。
【００２４】
また、応援グッズ１が振られたときに音発生部材５の振動を大きくかつ、円滑にするために、音発生部材５は、上枠部３ａ及び下枠部３ｂとの間に隙間を有して配置される。音発生部材５の上端部と上枠部３ａとの間には、開放空間部３１が形成され、音発生部材５の下端部と下枠部３ｂとの間には、開放空間部３２が形成されている。
【００２５】
図３、４に示すとおり、音発生部材５の上端部の、左右方向の長さを本体部３の上枠部３ａの長さより長くし、音発生部材５の下端部の左右方向の長さを本体部３の下枠部３ｂの長さより長くすることで、音発生部材５の中央部５ｂを弛ませるようにして装着する。さらに、音発生部材５の中央部５ｂの上枠部３ａ側の端部の弛みを、音発生部材５の下枠部３ｂ側の端部の弛みより大きく形成する。弛みの大小を調整することにより音の大きさを加減することができる。
【００２６】
上記のように構成された応援グッズ１は、ファン、サポーターが一方の手で柄部４を握り連続的に上下方向あるいは左右方向に振ることによって、音発生部材５が振動して、本体部３に張られた音発生部材５が風圧（空気抵抗）を受けることになり、周りの空気を瞬間的に叩くこととなって、空気を振動させて音を発生することになる。
【００２７】
また、音発生部材５の上端部の弛みが下端部の弛みより大きいので、弛みを同じ大きさにしたときより、音発生部材５の振動が大きくなり、空気を大きく振動させる。よって、応援グッズ１を振った時に大きな音を発生させることができる。
【００２８】
さらに、音発生部材５の上端部と下端部の弛みの違いにより、応援グッズ１の空気抵抗の部分的な不均衡の発生や重量バランスの不均衡が発生するので、ファン、サポーターが興奮して投げたとしても、遠くに飛ばない。よって、他のファン、サポーターや選手を傷つけることもない。
【００２９】
次に、本考案の第２の実施形態について説明する。図５に示す応援グッズ１Ａは、上枠部３ｅを図１における上枠部３ａの長さよりさらに長くして、本体部３Ａの形状を扇状に形成している。これにより、音発生部材５Ａの下枠部３ｆ側の端部の弛みと、音発生部材５Ａの上枠部３ｅ側の端部の弛みの違いを大きくすることができる。音発生部材５Ａの振動が大きくなり、空気を大きく振動させるので、さらに大きな音を発生させることができる。また、応援グッズ１Ａが投げられた場合に、空気抵抗の部分的な不均衡の発生や重量バランスの不均衡がより大きくなるので遠くに飛ばなくなる効果を高めることができる。
【００３０】
本考案の第３の実施形態について説明する。図６、７に示す応援グッズ１Ｂは、本体部３Ｂを可撓性を有した材料で形成され、本体部３の上枠部３ａは、両側枠部３ｃ、３ｄからそれぞれ延設された上枠部３ｘ、３ｙで構成されている。両側枠部３ｃ、３ｄと下枠部３ｂとで構成される本体部３Ｂの下部の角部３ｔ、３ｓを、撓みやすくするため、本体部３Ｂの下部の角部３ｔ、３ｓ以外の部分より幅を狭く形成している。上枠部３ｘ、３ｙの一方の端部は、両側枠部３ｃ、３ｄと一体に形成され、他方の端部は、上枠部３ｘ、３ｙ同士を係止する係止部１３を有している。上枠部３ｘ、３ｙの長さは、それぞれの係止部１３を重ね合わせて係止するため、一体に形成された上枠部３ａより長くなるように形成されている。
【００３１】
本体部３Ｂの上枠部３ｘ、３ｙには、長さ調節手段１２が設けられている。図８に示すように、長さ調節手段１２は、長孔部１４と上述した係止部１３とで構成されている。長孔部１４は、上枠部３ｘ、３ｙの長手方向に沿って設けられ、両端部が略半円形状に形成され、その縁部に長孔部１４の他の部分より幅方向に狭く突出する係止突起１４１が設けられている。係止部１３は、長孔部１４の幅と同じ直径で薄い円柱状に形成されて長孔部１４を移動する円柱部１３１と、長孔部１４から係止部１３が脱落しないように拘束する係止板１３２とで構成されている。上枠部３ｘ、３ｙの係止部１３側の端部は、円柱部１３１の円の輪郭に合わせた略半円形状に形成されている。係止板１３２は、一方の端部を上枠部３ｘ、３ｙの円柱部１３１の円の輪郭に合わせた略半円形状にし、全体として略ホームベース状に形成されている。上枠部３ｘ、３ｙの係止部１３側の端部と、円柱部１３１と、略半円形状にした側の係止板１３２の端部とは、円柱部１３１の円と輪郭が合うように重ね合わせて接合される。このとき、係止板１３２同士が斜め方向に対向するように、係止部１３を配置し接合する。本実施形態では、円柱部１３１と係止板１３２を重ね合わせ接合して係止部１３を形成しているが、上枠部３ｘ、３ｙと一体に係止部１３を成形してもよい。
【００３２】
上述した上枠部３ｘ、３ｙの係止部１３側の端部を、係止板１３２が対向するように配置して、一方の係止板１３２を長孔部１４に挿通する。上枠部３ｘ、３ｙは、可撓性を有し撓むため長孔部１４より幅が広い係止板１３２を挿通することは可能である。他方の係止板１３２も長孔部１４に挿通する。これにより、長孔部１４の反対側の面まで通された係止板１３２は、円柱部１３１が接合された側の面と、対向する上枠部３ｘ、３ｙの長孔部１４の縁部の面とが係止することになる。円柱部１３１の円の直径は長孔部１４の幅と同じであるので、上枠部３ｘ、３ｙを手で持ち、押したり引いたりすることで、係止部１３を移動させることができる。上枠部の長さ方向の長さ調節手段を設けることによって、使用状態を選択することが可能となる。音出し用応援グッズの上枠部の長さを短くして下枠部と略同じ長さにし、音発生部材の弛みを大きくして、大きな音を発生させたり、音出し用応援グッズの上枠部の長さを長くして音発生部材を張った状態にして団扇代わりにしたりする、といったことができる。係止部１３を長孔部１４の両端部の縁部にある係止突起１４１よりさらに両端部側に押し込むことで、円柱部１３１を係止突起１４１により長孔部１４の端部で係止することができる。応援グッズ１Ｂの上枠部３ｘ、３ｙを短くした状態にして、音発生部材５を弛ませて、応援グッズ１Ｂを上下、左右方向に振って応援しても、係止突起１４１により係止されている状態を維持できる。応援グッズ１Ｂを運搬するときには、上枠部３ｘ、３ｙを長くして音発生部材５を張った状態にすることができる。係止突起１４１により上枠部３ｘ、３ｙを広げた状態を維持できるので、運搬時の振動によって係止部１３が移動して、音発生部材５が弛んでしまいしわやキズが付いてしまうのを防止できる。
【００３３】
また、応援グッズ１Ｂでは、柄部４Ｂを可撓性を有する材料で形成し、下端部分に切れ込みを入れて、掛止フック４ｂを設けている。これにより、ズボンのベルトホールに応援グッズ１を掛けたり、カバン、バッグの持ち手や、リング部材に応援グッズ１を掛けたりすることができ、携帯性を高めることができる。さらに、柄部４Ｂの下枠部３ｂ側から略中央部にかけて、円弧をつないで山形状に突出する円弧状部４ｃを設け、手で握る際持ちやすくしている。
【００３４】
図９に示すように、本考案の第１の実施形態の応援グッズ１において、応援グッズ１の音発生部材５に応援対象とするチーム名や選手名の文字１６又は図形、キャラクター等を目立つように表示してもよい。これによって視覚を刺激した応援が可能となり、ファン、サポーターが同一の応援グッズ１で応援すれば、会場の雰囲気を盛り上げることができる。
【００３５】
図１０に示すように、本考案の第１の実施形態の応援グッズ１において、柄部４に孔状掛止部４ａを設けて、孔状掛止部４ａに紐状の掛止部材１５を挿通してもよい。これらの応援グッズ１を使用しないときは、掛止部材１５を掛止することによって、壁に掛けて保管することができる。なお、掛止部材１５がストラップであれば、ストラップ内に手や指を挿通させて応援グッズ１を振ることができる。掛止部材１５がキーホルダであれば、キーホルダに飾り物を掛止した状態で使用することもできる。
【００３６】
また、音発生部材５と本体部３の間に開放空間部３１、開放空間部３２を形成することなく音発生部材５を本体部３に固着しても、弛んだ状態で本体部３に装着された音発生部材５は、音を発生させることができる。
【符号の説明】
【００３７】
１  応援グッズ
３  本体部
３Ａ  本体部
３Ｇ  上下枠部
３Ｈ  左右枠部
４  柄部
４Ａ  柄部
４ａ  孔状掛止部
５  音発生部材
１５  掛止部材
１６  文字
３１  開放空間部
３２  開放空間部
【図１】
0003154259.tif 000003
【図２】
0003154259.tif 000004
【図３】
0003154259.tif 000005
【図４】
0003154259.tif 000006
【図５】
0003154259.tif 000007
【図６】
0003154259.tif 000008
【図７】
0003154259.tif 000009
【図８】
0003154259.tif 000010
【図９】
0003154259.tif 000011
【図１０】
0003154259.tif 000012
【手続補正書】
【提出日】平成21年8月4日(2009.8.4)
【手続補正１】
【補正対象書類名】実用新案登録請求の範囲
【補正対象項目名】全文
【補正方法】変更
【補正の内容】
【実用新案登録請求の範囲】
【請求項１】
略四角枠状の本体部と、該本体部に固定されたシート状の音発生部材と、を備えて構成され、
該本体部は、一対の左右枠部と、上枠部と、下枠部と、該下枠部から枠外側方向に延びる柄部と、を備え、
該音発生部材は、該左右枠部と、該上枠部と、該下枠部と、で構成される平面を略直交方向に出入りする、振動運動可能な可撓性を有したシート材からなり、弛みを有するように該左右枠部に端部を接合され、該上枠部及び該下枠部に対して隙間を有して装着され、
該音発生部材の該上枠部側の端部の該弛みが、該音発生部材の該下枠部側の端部の該弛みより大きいことを特徴とする音出し用応援グッズ。
【請求項２】
該本体部は、該上枠部が該下枠部に対して長い扇状に成形されることを特徴とする請求項１記載の音出し用応援グッズ。
【請求項３】
該本体部は、可撓性を有した部材からなり、
該上枠部は、該上枠部が該下枠部に対して長くなる状態と、該上枠部と該下枠部が略同じ長さとなる状態と、に調節可能な長さ調節手段を有することを特徴とする請求項１記載の音出し用応援グッズ。
【請求項４】
該本体部は、該左右枠部と該下枠部とで構成される該本体部下部の角部の幅が、該本体部の該角部以外の部分の幅より狭く形成されていることを特徴とする請求項３記載の音出し用応援グッズ。
【請求項５】
該音発生部材に、応援対象の文字又は図形が印刷されていることを特徴とする請求項１、２、３又は４記載の音出し用応援グッズ。
【請求項６】
該柄部には、掛止部材が配設されていることを特徴とする請求項１、２、３、４又は５記載の音出し用応援グッズ。
【手続補正２】
【補正対象書類名】明細書
【補正対象項目名】０００６
【補正方法】変更
【補正の内容】
【０００６】
請求項１記載の考案の音出し用応援グッズでは、略四角枠状の本体部と、該本体部に固定されたシート状の音発生部材と、を備えて構成され、該本体部は、一対の左右枠部と、上枠部と、下枠部と、該下枠部から枠外側方向に延びる柄部と、を備え、該音発生部材は、該左右枠部と、該上枠部と、該下枠部と、で構成される平面を略直交方向に出入りする、振動運動可能な可撓性を有したシート材からなり、弛みを有するように該左右枠部に端部を接合され、該上枠部及び該下枠部に対して隙間を有して装着され、該音発生部材の該上枠部側の端部の該弛みが、該音発生部材の該下枠部側の端部の該弛みより大きいことを特徴とする。
【手続補正３】
【補正対象書類名】明細書
【補正対象項目名】００１２
【補正方法】変更
【補正の内容】
【００１２】
請求項１記載の考案では、左右枠部に、左右枠部と、上枠部と、下枠部と、で構成される平面を略直交方向に出入りする、振動運動可能な可撓性を有した音発生部材を装着するとともに、音発生部材を弛むように装着している。これによって、応援グッズを手で振る際に、本体部に弛むように装着された音発生部材が振動し、空気を振動させることにより音を発生させることができる。音発生部材の上枠部側の端部の弛みが、音発生部材の下枠部側の端部の弛みより大きく、応援グッズを手で振った時に音発生部材が大きく振動し、空気を大きく振動させる。よって、大きな音を発生させることができる。また、弛みの大きさが違うため応援グッズを投げた時に、空気抵抗の部分的な不均衡の発生や重量バランスの不均衡が発生することになるので、投げても失速して遠くに飛ばず地上に落下することになる。
【手続補正４】
【補正対象書類名】明細書
【補正対象項目名】００１３
【補正方法】変更
【補正の内容】
【００１３】
請求項２記載の考案では、枠状の本体部を扇状に成形することで、音発生部材の上枠部側の端部と下枠部側の端部の長さと、音発生部材の上枠部側の端部の弛みと下枠部側の端部の弛みの大きさの差を大きくすることができる。音発生部材が大きく振動し、空気を大きく振動させるので、さらに大きな音を発生させることができる。また、音出し用応援グッズの空気抵抗の部分的な不均衡の発生や、重量バランスの不均衡がより大きくなるので投げても遠くに飛ばなくなる効果を高めることができる。